(57)【要約】【課題】現在放送されている全チャンネルがリモコン装置に正確に表示されるテレビジョン受信装置を提供する。【解決手段】チャンネル情報に基づいた受信可能な全チャンネルがリモコン装置１２に表示されるテレビジョン受信装置２０において、チャンネル情報通信部２８は、所定時間毎に受信可能な全チャンネルの情報を取得し、その取得した新たなチャンネル情報をリモコン装置１２へ送信する。リモコン装置１２は、その新たなチャンネル情報に基づいて受信可能な全チャンネル３９を表示する。【選択図】図４
2008301419.tif 000002
【特許請求の範囲】
【請求項１】
テレビジョン放送信号を受信する受信部と、
上記テレビジョン放送信号の中から１つのチャンネルを選択するためにユーザにより操作されるリモコン装置と、
上記受信部により受信可能なテレビジョン放送信号に対応する全てのチャンネルの情報を取得し、該取得したチャンネル情報を上記リモコン装置へ送信するチャンネル情報通信部とを備え、
上記チャンネル情報に基づいた受信可能な全チャンネルが上記リモコン装置に表示されるテレビジョン受信装置において、
上記チャンネル情報通信部は、
所定時間毎に受信可能な全チャンネルの情報を取得し、該取得した新たなチャンネル情報を上記リモコン装置へ送信するものであり、
上記リモコン装置は、
上記新たなチャンネル情報に基づいて受信可能な全チャンネルを表示することを特徴とするテレビジョン受信装置。
【請求項２】
上記チャンネル情報通信部は、上記取得した新たなチャンネル情報が前回取得時のチャンネル情報から変更されているときのみ、該取得した新たなチャンネル情報を上記リモコン装置へ送信することを特徴とする請求項１に記載のテレビジョン受信装置。
【請求項３】
ユーザによる上記リモコン装置の操作によって上記リモコン装置に表示される全チャンネルの中から不要なチャンネルを削除することが可能であり、
ユーザによる操作によって削除されたチャンネルがある場合には、上記取得した新たなチャンネル情報に基づいた受信可能な全チャンネルの中から上記削除された不要なチャンネルが自動的に削除されることを特徴とする請求項２に記載のテレビジョン受信装置。
【請求項４】
上記削除された不要なチャンネルの情報が上記チャンネル情報通信部へ送信されるものであり、
上記チャンネル情報通信部は、上記送信された不要なチャンネルの情報に基づいて、上記取得した新たなチャンネル情報の中から上記削除された不要なチャンネルを除いたより新たなチャンネル情報を上記リモコン装置へ送信することを特徴とする請求項３に記載のテレビジョン受信装置。
【請求項５】
上記チャンネル情報通信部により取得されたチャンネル情報を記憶する記憶部を更に備え、
上記リモコン装置は、上記記憶部に記憶されたチャンネル情報に基づくチャンネルの表示が可能であることを特徴とする請求項１乃至４の何れかに記載のテレビジョン受信装置。
【請求項６】
上記リモコン装置は、最新のチャンネル情報と上記記憶部に記憶された過去のチャンネル情報とに基づいて、過去に受信可能であり且つ現在受信できないチャンネルを現在受信可能なチャンネルと区別可能に表示すること特徴とする請求項５に記載のテレビジョン受信装置。
【請求項７】
デジタル放送を受信可能な薄型テレビジョン装置に備えられるものであり、
上記リモコン装置は、
タッチボタン形式の液晶表示部に受信可能な全チャンネルをスクロール可能に表示し、ユーザにより所望のチャンネルが選択され、
上記薄型テレビジョン装置の電源がスタンバイ状態であるときに、上記リモコン装置においてユーザによりチャンネルが選択操作されると、該薄型テレビジョン装置の電源がオン状態とされ、該選択操作されたチャンネルが該薄型テレビジョン装置に表示されることを特徴とする請求項１乃至６の何れかに記載のテレビジョン受信装置。 
【発明の詳細な説明】
【技術分野】
【０００１】
本発明は、テレビジョン受信装置に係り、特に、受信可能なチャンネルをリモコン装置に表示する技術に関する。
【背景技術】
【０００２】
従来、テレビジョン受信装置により受信可能な情報媒体としてアナログ放送、ＢＳデジタル放送、ＣＳデジタル放送、ケーブル放送などがある。近年では、地上波デジタル放送も加わり益々受信できるチャンネルの数が多くなり、ユーザにとっては多種、多様な放送から好みに合ったチャンネルをリモコン装置などを介して選択し、そのチャンネルに応じた放送番組を楽しむことが可能になっている。
【０００３】
そして、テレビジョン受信装置で受信可能な放送番組に対応するチャンネル番号をリモコン装置に表示することにより、受信可能な放送番組のチャンネルをユーザが認識することを可能にし、多くのチャンネルの中から受信可能なチャンネルをリモコン装置にて選択することを可能にするテレビジョン受信装置がよく知られている。
【０００４】
例えば、特許文献１には、放送受信機及び放送受信機のリモコン装置において、放送番組に対応するチャンネルを選択するための入力を行うリモコン装置が、放送受信機において抽出された放送番組の番組タイトルデータを取得し、その番組タイトルデータに基づいてリモコン装置の操作パネルに番組タイトルが表示されるチャンネルキーを表示することが開示されている。
【０００５】
また、特許文献２には、ジャンル表示部のタッチ操作で表示ジャンルが書き換えられ、スクロールスイッチの操作で全チャンネルが順次送り表示され、所望のチャンネルを表示するチャンネルタイトル表示部をタッチ処理して、多チャンネルの放送サービスを行う受信装置に所望のチャンネルを選局するチャンネル選局リモコン送信機が開示されている。
【０００６】
また、特許文献３には、携帯電話の制御部は内蔵ＴＶチューナーを起動して各チャンネルを受信し、表示部に各チャンネルのサムネイルを表示する。そして、使用者がサムネイル表示されている各チャンネルの映像を見ながら所望のチャンネルを選択することができるＴＶ受信及びリモコン機能付き携帯電話機が開示されている。
【特許文献１】特開２００７−６４０７号公報
【特許文献２】特開平８−２６５８７１号公報
【特許文献３】特開２００５−１５０８３１号公報
【発明の開示】
【発明が解決しようとする課題】
【０００７】
ところで、時間帯によって放送されているチャンネルが変わる場合がある。例えば、昼間の所定時間のみ放送されるチャンネルもあれば、夜間の所定時間のみ放送されるチャンネルもある。そうすると、現在放送されている全チャンネルがリモコン装置に正確に表示されない可能性があった。
【０００８】
本発明は上記課題に鑑みて為されたもので、その目的とするところは、現在放送されている全チャンネルがリモコン装置に正確に表示されるテレビジョン受信装置を提供することにある。
【課題を解決するための手段】
【０００９】
上記目的を達成するための請求項１に記載の発明は、テレビジョン放送信号を受信する受信部と、上記テレビジョン放送信号の中から１つのチャンネルを選択するためにユーザにより操作されるリモコン装置と、上記受信部により受信可能なテレビジョン放送信号に対応する全てのチャンネルの情報を取得し、該取得したチャンネル情報を上記リモコン装置へ送信するチャンネル情報通信部とを備え、上記チャンネル情報に基づいた受信可能な全チャンネルが上記リモコン装置に表示されるテレビジョン受信装置において、上記チャンネル情報通信部は、所定時間毎に受信可能な全チャンネルの情報を取得し、該取得した新たなチャンネル情報を上記リモコン装置へ送信するものであり、上記リモコン装置は、上記新たなチャンネル情報に基づいて受信可能な全チャンネルを表示することにある。
【００１０】
上記のように構成された本発明のテレビジョン受信装置において、チャンネル情報通信部により所定時間毎に取得された受信可能な新たなチャンネル情報がリモコン装置へ送信され、リモコン装置によりその新たなチャンネル情報に基づいて受信可能な全チャンネルが表示されることから、時間帯によって放送されているチャンネルが変わることに対応することが可能である。
【００１１】
また、請求項２に記載の発明は、請求項１に記載のテレビジョン受信装置において、上記チャンネル情報通信部は、上記取得した新たなチャンネル情報が前回取得時のチャンネル情報から変更されているときのみ、該取得した新たなチャンネル情報を上記リモコン装置へ送信することにある。
【００１２】
上記のように構成された請求項１に記載のテレビジョン受信装置において、上記取得された新たなチャンネル情報が前回取得時のチャンネル情報から変更されているときのみ、上記チャンネル情報通信部によりその取得された新たなチャンネル情報が上記リモコン装置へ送信さえることから、チャンネル情報通信部やリモコン装置におけるチャンネル情報の送受信回数が抑制される。
【００１３】
また、請求項３に記載の発明は、請求項２に記載のテレビジョン受信装置において、ユーザによる上記リモコン装置の操作によって上記リモコン装置に表示される全チャンネルの中から不要なチャンネルを削除することが可能であり、ユーザによる操作によって削除されたチャンネルがある場合には、上記取得した新たなチャンネル情報に基づいた受信可能な全チャンネルの中から上記削除された不要なチャンネルが自動的に削除されることにある。
【００１４】
上記のように構成された請求項２に記載のテレビジョン受信装置において、ユーザによる上記リモコン装置の操作によって上記リモコン装置に表示される全チャンネルの中から不要なチャンネルを削除することが可能に構成されている。そして、上記取得した新たなチャンネル情報に基づいた受信可能な全チャンネルの中から上記削除された不要なチャンネルが自動的に削除されることから、新たなチャンネル情報がリモコン装置へ送信されてもリモコン装置には削除された不要なチャンネルは表示されない。
【００１５】
また、請求項４に記載の発明は、請求項３に記載のテレビジョン受信装置において、上記削除された不要なチャンネルの情報が上記チャンネル情報通信部へ送信されるものであり、上記チャンネル情報通信部は、上記送信された不要なチャンネルの情報に基づいて、上記取得した新たなチャンネル情報の中から上記削除された不要なチャンネルを除いたより新たなチャンネル情報を上記リモコン装置へ送信することにある。
【００１６】
上記のように構成された請求項３に記載のテレビジョン受信装置において、リモコン装置側から送信された不要なチャンネルの情報に基づいて、チャンネル情報通信部により上記取得した新たなチャンネル情報の中からその削除された不要なチャンネルを除いたより新たなチャンネル情報がリモコン装置へ送信されることから、リモコン装置はそのより新たなチャンネル情報に基づいて表示するだけで不要なチャンネルを除く受信可能な全チャンネルを表示することができる。
【００１７】
また、請求項５に記載の発明は、請求項１乃至４の何れかに記載のテレビジョン受信装置において、上記チャンネル情報通信部により取得されたチャンネル情報を記憶する記憶部を更に備え、上記リモコン装置は、上記記憶部に記憶されたチャンネル情報に基づくチャンネルの表示が可能である。
【００１８】
上記のように構成された請求項１乃至４の何れかに記載のテレビジョン受信装置において、上記チャンネル情報通信部により取得されたチャンネル情報を記憶する記憶部に記憶されたチャンネル情報に基づくチャンネルの表示が上記リモコン装置により可能とされることから、現在は受信できないが過去に受信可能であったチャンネルを表示することができる。
【００１９】
また、請求項６に記載の発明は、請求項５に記載のテレビジョン受信装置において、上記リモコン装置は、最新のチャンネル情報と上記記憶部に記憶された過去のチャンネル情報とに基づいて、過去に受信可能であり且つ現在受信できないチャンネルを現在受信可能なチャンネルと区別可能に表示することにある。
【００２０】
上記のように構成された請求項５に記載のテレビジョン受信装置において、最新のチャンネル情報と上記記憶部に記憶された過去のチャンネル情報とに基づいて過去に受信可能であり且つ現在受信できないチャンネルが上記リモコン装置により現在受信可能なチャンネルと区別可能に表示されることから、現在受信可能なチャンネルを表示すると共に現在は受信できないが過去に受信可能であったチャンネルを現在受信可能なチャンネルとは区別可能に表示することができる。
【００２１】
また、請求項７に記載の発明は、請求項１乃至６の何れかに記載のテレビジョン受信装置において、デジタル放送を受信可能な薄型テレビジョン装置に備えられるものであり、上記リモコン装置は、タッチボタン形式の液晶表示部に受信可能な全チャンネルをスクロール可能に表示し、ユーザにより所望のチャンネルが選択され、上記薄型テレビジョン装置の電源がスタンバイ状態であるときに、上記リモコン装置においてユーザによりチャンネルが選択操作されると、該薄型テレビジョン装置の電源がオン状態とされ、該選択操作されたチャンネルが該薄型テレビジョン装置に表示されることにある。
【００２２】
上記のように構成された請求項１乃至６の何れかに記載のテレビジョン受信装置において、リモコン装置におけるタッチボタン形式の液晶表示部に受信可能な全チャンネルがスクロール可能に表示され、ユーザにより所望のチャンネルが選択される。そして、薄型テレビジョン装置の電源がスタンバイ状態であるときに、上記リモコン装置においてユーザによりチャンネルが選択操作されると、薄型テレビジョン装置の電源がオン状態とされ、その選択操作されたチャンネルが薄型テレビジョン装置に表示されることから、薄型テレビジョン装置の電源がスタンバイ状態であっても現在放送されている全チャンネルがリモコン装置に正確に表示され、薄型テレビジョン装置の電源を立ち上げることなく所望のチャンネルを選択して薄型テレビジョン装置に所望のチャンネルを表示することができる。
【発明の効果】
【００２３】
以上説明したように、請求項１に記載の発明によれば、時間帯によって放送されているチャンネルが変わることに対応することが可能であるので、現在放送されている全チャンネルがリモコン装置に正確に表示される。
【００２４】
また、請求項２に記載の発明によれば、チャンネル情報通信部やリモコン装置におけるチャンネル情報の送受信回数が抑制されるので、電力消費が抑制される。
【００２５】
また、請求項３に記載の発明によれば、新たなチャンネル情報がリモコン装置へ送信されてもリモコン装置には削除された不要なチャンネルは表示されないので、新たなチャンネル情報がリモコン装置へ送信される度にユーザが不要なチャンネルを削除する必要がなくユーザの負担が軽減される。
【００２６】
また、請求項４に記載の発明によれば、リモコン装置はより新たなチャンネル情報に基づいて表示するだけで不要なチャンネルを除く受信可能な全チャンネルを表示することができるので、リモコン装置における処理が簡略化されひいては電力消費が抑制される。
【００２７】
また、請求項５に記載の発明によれば、現在は受信できないが過去に受信可能であったチャンネルを表示することができるので、過去に受信可能であったが現在受信できないチャンネルを確認することが可能になる。
【００２８】
また、請求項６に記載の発明によれば、現在受信可能なチャンネルを表示すると共に現在は受信できないが過去に受信可能であったチャンネルを現在受信可能なチャンネルとは区別可能に表示することができるので、現在受信可能なチャンネルを確認できることはもちろんのこと、過去に受信可能であったが現在受信できないチャンネルを明確に確認することが可能になる。
【００２９】
また、請求項７に記載の発明によれば、リモコン装置におけるタッチボタン形式の液晶表示部に受信可能な全チャンネルがスクロール可能に表示されるので、受信可能なチャンネルが多くとも全チャンネルを確認することができる。また、薄型テレビジョン装置の電源がスタンバイ状態であっても現在放送されている全チャンネルがリモコン装置に正確に表示されるので、薄型テレビジョン装置の電源をオンして画面を見なくてもリモコン装置を見るだけで受信可能な全チャンネルを確認することができる。また、薄型テレビジョン装置の電源を立ち上げることなく所望のチャンネルを選択して薄型テレビジョン装置にその所望のチャンネルを表示することができるので、見たい番組のチャンネルをテレビ画面上で捜さなくとも所望のチャンネルをすぐ見られるようになる。
【発明を実施するための最良の形態】
【００３０】
以下、下記の項目に従って本発明の実施形態を図面を参照しつつ説明する。
（１）テレビジョン受信装置を備える薄型テレビジョン装置の概略構成
（２）テレビジョン受信装置の構成
（３）チャンネル表示に関する具体的な制御
（４）まとめ
【００３１】
（１）テレビジョン受信装置を備える薄型テレビジョン装置の概略構成
以下、図１を参照して本発明が適用されるテレビジョン受信装置２０（図２参照）を備えた薄型テレビジョン装置の一例であるデジタル放送を受信可能な液晶テレビジョン装置１０の概略構成を説明する。図１は液晶テレビジョン装置１０を示す斜視図である。図１において、液晶テレビジョン装置１０は、テレビジョン本体１１とリモコン装置１２とを備えている。テレビジョン本体１１は、例えばテレビジョン放送信号に基づく画像を表示したり音声を出力する。リモコン装置１２は、例えばテレビジョン放送信号の中から１つのチャンネルを選択するためにユーザにより操作される。尚、本実施形態では薄型テレビジョン装置として液晶テレビジョン装置１０を例示したが、この実施形態に限定されるものではなくテレビジョン受信装置２０を備えておれば本発明は適用され得る。例えばプラズマテレビやリアプロジェクションテレビや有機ＥＬテレビ等の薄型テレビジョン装置であれば、本発明の要旨を逸脱しない範囲で種々の変形実施の形態が可能である。
【００３２】
（２）テレビジョン受信装置の構成
図２は、液晶テレビジョン装置１０が備えるテレビジョン受信装置２０のブロック構成図である。図２において、テレビジョン受信装置２０は、テレビジョン本体１１に備えられる受信装置本体２１とリモコン装置１２とから構成される。受信装置本体２１は、チューナ２２と、フロントエンド２３と、デコーダ２４と、ＯＳＤ回路２５と、音声出力部２６と、画像表示部２７と、チャンネル情報通信部２８と、マイコン２９と、電源回路３０、記憶部３１とを備えている。また、リモコン装置１２は、リモコン通信部３２と、制御部３３と、メモリ３４と、表示／操作部３５とを備えている。
【００３３】
チューナ２２は、例えばアンテナ３６と接続されており、マイコン２９から入力される制御信号に従って、アンテナ３６で受信されるテレビジョン放送信号の中から１つのチャンネル（例えばユーザによるリモコン装置１２の操作によって選局されたチャンネル）に対応するテレビジョン放送信号を取得してフロントエンド２３に出力する。つまり、チューナ２２はアンテナ３６と共にテレビジョン放送信号を受信する受信部として機能する。
【００３４】
フロントエンド２３は、例えばマイコン２９から入力される制御信号に従って、チューナ２２から出力されたテレビジョン放送信号を中間周波信号に変換して、デコーダ２４に出力する。
【００３５】
デコーダ２４は、例えばマイコン２９から入力される制御信号に従って、フロントエンド２３から出力された中間周波信号に対して所定のファイル形式（例えばよく知られたＭＰＥＧ−２形式等）に応じた処理を施すことによって、その中間周波信号を音声信号と映像信号とに分離してデコードする。そして、そのデコードした音声信号を音声出力部２６へ出力するとともに、映像信号を画像表示部２７へ出力する。
【００３６】
ＯＳＤ回路２５は、例えばマイコン２９から入力される制御信号に従って、画像表示部２７に所定のＯＳＤ表示（オンスクリーンディスプレイ表示）をさせるためのＯＳＤ表示信号を、デコーダ２４から画像表示部２７へ出力される映像信号に合成する。
【００３７】
音声出力部２６は、例えば音声出力アンプＩＣ２６ａやスピーカ２６ｂなどを有し、デコーダ２４から入力された音声信号に音質調整や電力増幅等の所定の処理を施して、その音声信号に基づく音声データに応じた音声をスピーカ２６ｂから出力する。
【００３８】
画像表示部２７は、例えばパネル駆動回路２７ａや液晶パネル２７ｂなどを有し、デコーダ２４から出力された映像信号に基づく画像データに応じた画像や、デコーダ２４から出力されてＯＳＤ回路２５によりＯＳＤ表示信号が合成された映像信号に基づく画像データに応じた画像を表示する。
【００３９】
チャンネル情報通信部２８は、例えばリモコン通信部３２から送信された各種信号（制御コマンド）を受信し、それら各種信号に基づく各種データをマイコン２９へ出力する。また、チャンネル情報通信部２８は、例えばマイコン２９から入力される制御信号に従って、チューナ２２により受信可能なテレビジョン放送信号に対応する全てのチャンネルの情報を取得し、その取得したチャンネル情報をリモコン通信部３２へ送信する。
【００４０】
マイコン２９は、例えばＣＰＵ２９ａやＲＡＭ２９ｂやＲＯＭ２９ｃなどを有し、液晶テレビジョン装置１０の動作を制御する。例えば、マイコン２９は、チャンネル情報通信部２８で受信した制御コマンドに基づいて音声の音質調整、チャンネルの切換え、音量のアップ／ダウン等を制御する。
【００４１】
ＣＰＵ２９ａは、ＲＯＭ２９ｃに記憶された液晶テレビジョン装置１０用の各種処理プログラムに従って、各種の制御動作を行う。
【００４２】
ＲＡＭ２９ｂは、ＣＰＵ２９ａによって実行される処理プログラムなどを展開するためのプログラム格納領域や、入力データや上記処理プログラムが実行される際に生じる処理結果などを格納するデータ格納領域などを備える。
【００４３】
ＲＯＭ２９ｃは、液晶テレビジョン装置１０で実行可能なシステムプログラム、そのシステムプログラムで実行可能な各種処理プログラム、これら各種処理プログラムを実行する際に使用されるデータ、ＣＰＵ２９ａによって演算処理された各種結果のデータなどを記憶する。なお、プログラムは、コンピュータが読み取り可能なプログラムコードの形でＲＯＭ２９ｃに記憶されている。
【００４４】
電源回路３０は、例えば部分共振電源回路であり、商用ＡＣ電源を複数種類の所定の電圧に変換して液晶テレビジョン装置１０の各部へ動作電源電圧を出力する。
【００４５】
記憶部３１は、例えばＥＥＰＲＯＭ等の不揮発性半導体メモリで構成されており、チャンネル情報通信部２８により取得されたチャンネル情報を記憶する。
【００４６】
リモコン通信部３２は、例えば制御部３３から入力される制御信号に従って、ユーザによる操作に応じた各種信号をチャンネル情報通信部２８へ送信する。また、リモコン通信部３２は、例えばチャンネル情報通信部２８から送信されたチャンネル情報を受信し、そのチャンネル情報を制御部３３へ出力する。
【００４７】
尚、上記各種信号やチャンネル情報は、例えば赤外線或いは電波を用いて送信される。特に、チャンネル情報通信部２８から電波を用いてチャンネル情報が送信される場合には、リモコン装置１２がチャンネル情報通信部２８側から見て隠れていても送信が可能になるという利点がある。
【００４８】
制御部３３は、例えばリモコン通信部３２から入力されるチャンネル情報に基づいて受信可能な全チャンネルを表示する指令を表示／操作部３５に出力する。また、制御部３３は、表示／操作部３５におけるユーザによる操作に応じて、チャンネル情報通信部２８へ各種信号を送信する制御指令をリモコン通信部３２に出力する。
【００４９】
メモリ３４は、例えばリモコン通信部３２から入力されるチャンネル情報を記憶する。表示／操作部３５は、図３に示すように、リモコン装置１２上に各種操作キー３７と、液晶表示部３８とを備えている。操作キー３７は、テレビジョン本体１１の電源をオン／オフする為の電源キー３７ａ、液晶表示部３８に各種設定の為のメニュー画面を表示させる為のメニューキー３７ｂ、テレビジョン本体１１の音量調整やメニュー画面におけるカーソル移動等を行う為の４つの方向キー３７ｃ、メニュー画面における設定を決定する為の決定キー３７ｄを備えている。
【００５０】
液晶表示部３８は、例えばタッチボタン形式の液晶パネルで構成されており、例えば制御部３３から入力される制御信号に従って、受信可能な全チャンネル３９を表示する。図３においては、一度に１２種類のチャンネル３９が表示可能である。受信可能な全チャンネル３９が１２種類を超えている場合には、方向キー３７ｃによりスクロールさせられることにより全チャンネル３９を表示可能である。
【００５１】
このように構成されたテレビジョン受信装置２０において、チャンネル情報通信部２８により取得されたチャンネル情報に基づいた受信可能な全チャンネル３９がリモコン装置１２に表示されるのである。しかしながら、昼間の所定時間のみ放送されるチャンネルもあれば、夜間の所定時間のみ放送されるチャンネルもある。そうすると、時間帯によって放送されているチャンネルが変わる為に現在放送されている全チャンネル３９がリモコン装置１２に正確に表示されない可能性がある。
【００５２】
そこで、チャンネル情報通信部２８は、所定時間毎に受信可能なテレビジョン放送信号に対応する全チャンネルの情報を取得し、その取得した新たなチャンネル情報をリモコン通信部３２へ送信する。また、記憶部３１は、例えば時刻情報と共にチャンネル情報を記憶し、チャンネル情報通信部２８により新たなチャンネル情報が取得された際には、所定の数までは取得される度にチャンネル情報を書き加え、所定の数を超えるともっとも古いチャンネル情報を新たなチャンネル情報に書き換える。リモコン装置は、その新たなチャンネル情報に基づいて受信可能な全チャンネル３９を表示する。これによって、時間帯によって放送されているチャンネルが変わることに対応することが可能となる。
【００５３】
また、チャンネル情報通信部２８は、所定時間毎に取得した新たなチャンネル情報が記憶部３１に記憶されている前回取得時のチャンネル情報と比較して変更されているときのみ、その取得した新たなチャンネル情報をリモコン通信部３２へ送信しても良い。こうすることで、チャンネル情報通信部２８やリモコン装置１２におけるチャンネル情報の送受信回数が抑制される。
【００５４】
また、リモコン装置１２において、ユーザによるリモコン装置１２の操作によってリモコン装置１２に表示される全チャンネル３９の中から不要なチャンネルを削除可能に構成しても良い。例えば、液晶表示部３８に不要なチャンネルを削除するためのサブメニューと全チャンネル３９とを表示し、タッチ操作されたチャンネルを全チャンネル３９の中から削除する。
【００５５】
そして、ユーザによる操作によって削除されたチャンネルがある場合には、チャンネル情報通信部２８により取得された新たなチャンネル情報に基づいた受信可能な全チャンネルの中からその削除された不要なチャンネルを自動的に削除するようにしても良い。例えば、リモコン装置１２は削除された不要なチャンネルの情報をチャンネル情報通信部２８へ送信する。チャンネル情報通信部２８は、その送信された不要なチャンネルの情報に基づいて、新たなに取得したチャンネル情報の中からその削除された不要なチャンネルを除いたより新たなチャンネル情報をリモコン装置１２へ送信する。これによって、新たなチャンネル情報がリモコン装置１２へ送信されてもリモコン装置１２には削除された不要なチャンネルは表示されない。また、リモコン装置１２はより新たなチャンネル情報に基づいて表示するだけで不要なチャンネルを除く受信可能な全チャンネル３９を表示することができる。
【００５６】
また、リモコン装置１２において、記憶部３１に記憶されたチャンネル情報に基づくチャンネルを表示可能に構成しても良い。例えば、リモコン装置１２は、チャンネル情報通信部２８を介して記憶部３１に記憶された過去のチャンネル情報を取得し、その過去のチャンネル情報に基づく全チャンネルを表示する。これにより、現在は受信できないが過去に受信可能であったチャンネルを表示することができる。
【００５７】
このとき、リモコン装置１２は、チャンネル情報通信部２８により取得された最新のチャンネル情報と記憶部３１に記憶された過去のチャンネル情報とに基づいて、過去に受信可能であり且つ現在受信できないチャンネルを現在受信可能なチャンネルと区別可能に表示しても良い。例えば、図３のチャンネル３９ａ、３９ｂに示すように、過去に受信可能であり且つ現在受信できないチャンネルの表示として破線を用いて囲むことで、実線を用いて囲まれた現在受信可能なチャンネルと明確に区別可能に表示する。これにより現在受信可能なチャンネルを表示すると共に現在は受信できないが過去に受信可能であったチャンネルを現在受信可能なチャンネルとは区別可能に表示することができる。
【００５８】
（３）チャンネル表示に関する具体的な制御
以下に、本発明におけるチャンネル表示に関する具体的な制御を説明する。
【００５９】
図４は、テレビジョン受信装置２０が有するチャンネル表示に関する具体的な制御作動を示したフローチャートであり、所定の周期で繰り返し実行されている。図４において、先ず、ステップＳ１０では、前回チャンネル情報を取得してから所定時間が経過したか否かが判断される。このステップＳ１０の判断が否定される場合は本ルーチンが終了させられるが肯定される場合はステップＳ２０において、新たなチャンネル情報が取得される。
【００６０】
次いで、ステップＳ３０において、ステップＳ２０にて取得された新たなチャンネル情報が記憶される。次いで、ステップＳ４０において、前回取得時のチャンネル情報とステップＳ２０にて取得された新たなチャンネル情報とが比較され、新たなチャンネル情報が前回取得時のチャンネル情報と異なっているか否かが判断される。
【００６１】
新たなチャンネル情報と前回取得時のチャンネル情報とが同じであり上記ステップＳ４０の判断が否定される場合は本ルーチンが終了させられる。一方で、新たなチャンネル情報が前回取得時のチャンネル情報と異なっており上記ステップＳ４０の判断が肯定される場合はステップＳ５０において、ステップＳ２０にて取得された新たなチャンネル情報がリモコン装置１２へ送信される。
【００６２】
次いで、ステップＳ６０において、ステップＳ５０にて送信された新たなチャンネル情報に基づく現在受信可能な全チャンネル３９が液晶表示部３８に表示させられる。次いで、ステップＳ７０において、ユーザによる液晶表示部３８のタッチ操作にて所望のチャンネルが選択されたか否かが判断される。このステップＳ７０の判断が否定される場合は本ルーチンが終了させられるが肯定される場合はステップＳ８０において、テレビジョン本体１１の電源がスタンバイ状態であるか否かが判断される。
【００６３】
上記ステップＳ８０の判断が否定される場合はステップ９０において、上記Ｓ７０にて選択された所望のチャンネルがテレビジョン本体１１に表示される。一方で、上記ステップＳ８０の判断が肯定される場合はステップ１００において、テレビジョン本体１１の電源がオン状態とさせられ、上記Ｓ７０にて選択操作された所望のチャンネルがテレビジョン本体１１に表示される。尚、上記Ｓ７０にて選択操作された所望のチャンネルの履歴情報を記憶部３１乃至メモリ３４に記憶させ、現在受信可能な全チャンネル３９をその履歴情報に基づいて液晶表示部３８に一覧表示させるようにしても良い。例えば、選択回数の多い順に液晶表示部３８に表示させる。このとき、表示／操作部３５上のキー操作等で通常の一覧表示とその履歴情報に基づく一覧表示とを切り換えられるようにしても良い。
【００６４】
このように、液晶テレビジョン装置１０の電源がスタンバイ状態であるときに、リモコン装置１２においてユーザにより所望のチャンネルが選択操作されると、液晶テレビジョン装置１０の電源がオン状態とされ、その選択操作されたチャンネルが液晶テレビジョン装置１０に表示されることから、液晶テレビジョン装置１０の電源がスタンバイ状態であっても現在放送されている全チャンネル３９がリモコン装置１２に正確に表示され、液晶テレビジョン装置１０の電源を立ち上げることなく所望のチャンネルを選択して液晶テレビジョン装置１０に所望のチャンネルを表示することができる。
【００６５】
（４）まとめ
上述のように、本実施例によれば、時間帯によって放送されているチャンネルが変わることに対応することが可能であるので、現在放送されている全チャンネル３９がリモコン装置１２に正確に表示される。
【００６６】
また、本実施例によれば、チャンネル情報通信部２８やリモコン装置１２におけるチャンネル情報の送受信回数が抑制されるので、電力消費が抑制される。
【００６７】
また、本実施例によれば、新たなチャンネル情報がリモコン装置１２へ送信されてもリモコン装置１２には削除された不要なチャンネルは表示されないので、新たなチャンネル情報がリモコン装置１２へ送信される度にユーザが不要なチャンネルを削除する必要がなくユーザの負担が軽減される。
【００６８】
また、本実施例によれば、リモコン装置１２はより新たなチャンネル情報に基づいて表示するだけで不要なチャンネルを除く受信可能な全チャンネル３９を表示することができるので、リモコン装置１２における処理が簡略化されひいては電力消費が抑制される。
【００６９】
また、本実施例によれば、現在は受信できないが過去に受信可能であったチャンネルを表示することができるので、過去に受信可能であったが現在受信できないチャンネルを確認することが可能になる。
【００７０】
また、本実施例によれば、現在受信可能なチャンネルを表示すると共に現在は受信できないが過去に受信可能であったチャンネルを現在受信可能なチャンネルとは区別可能に表示することができるので、現在受信可能なチャンネルを確認できることはもちろんのこと、過去に受信可能であったが現在受信できないチャンネルを明確に確認することが可能になる。
【００７１】
また、本実施例によれば、リモコン装置１２におけるタッチボタン形式の液晶表示部３８に受信可能な全チャンネル３９がスクロール可能に表示されるので、受信可能なチャンネルが多くとも全チャンネルを確認することができる。また、液晶テレビジョン装置１０の電源がスタンバイ状態であっても現在放送されている全チャンネル３９がリモコン装置１２に正確に表示されるので、液晶テレビジョン装置１０の電源をオンして画面を見なくてもリモコン装置１２を見るだけで受信可能な全チャンネル３９を確認することができる。また、液晶テレビジョン装置１０の電源を立ち上げることなく所望のチャンネルを選択して液晶テレビジョン装置１０にその所望のチャンネルを表示することができるので、見たい番組のチャンネルをテレビ画面上で捜さなくとも所望のチャンネルをすぐ見られるようになる。
【００７２】
以上、本発明の実施例を図面に基づいて詳細に説明したが、上述したのはあくまでも一実施形態であり、本発明は当業者の知識に基づいて種々の変更、改良を加えた態様で実施することができる。
【図面の簡単な説明】
【００７３】
【図１】本発明が適用されるテレビジョン受信装置を備えた液晶テレビジョン装置の一例を示す斜視図である。
【図２】テレビジョン受信装置のブロック構成図である。
【図３】リモコン装置上に備えられる各種操作キーと液晶表示部とを示す概略図である。
【図４】テレビジョン受信装置が有するチャンネル表示に関する具体的な制御作動を示したフローチャートである。
【符号の説明】
【００７４】
１０：液晶テレビジョン装置（薄型テレビジョン装置）
１２：リモコン装置
２０：テレビジョン受信装置
２２：チューナ（受信部）
２８：チャンネル情報通信部
３１：記憶部
３８：液晶表示部 
【図１】
2008301419.tif 000003
【図２】
2008301419.tif 000004
【図３】
2008301419.tif 000005
【図４】
2008301419.tif 000006